(57)【要約】【課題】外壁面から張り出した付帯構造物について用途の自由度の制約を減らすことができる建物の補強構造を提供する。【解決手段】建物には、外壁面に隣接した部位にその外壁面から張り出すように軒部２５が設けられている。軒部２５には、水平方向に延びる軒フレーム４０が設けられている。軒フレーム４０は、水平方向の抵抗力を高めるべくブレース補強部５０を備える。ブレース補強部５０は、軒部２５において外壁面から離間した位置に設けられている。外壁面の外側には、シャッタ装置３０が軒フレーム４０と同じ高さ位置に、軒部２５に少なくとも一部埋め込まれるようにして設けられている。【選択図】      図３
2014148861.tif 000002
【特許請求の範囲】
【請求項１】
外壁面に隣接した部位にその外壁面から張り出して設けられる付帯構造物を備える建物に適用され、
前記付帯構造物は、水平方向に延びる構造フレームを有し、
その構造フレームは、水平方向の抵抗力を高めるべく補強部を備えており、
前記補強部は、前記付帯構造物において前記外壁面から離間した位置に設けられていることを特徴とする建物の補強構造。
【請求項２】
前記構造フレームは、前記外壁面から張り出して設けられる複数の張出梁と、それら各張出梁にそれぞれ連結して設けられる複数の連結梁とを有し、
前記連結梁は、前記外壁面から離間した位置にそれぞれ設けられており、
それら各連結梁の間となる位置に前記補強部が設けられていることを特徴とする請求項１に記載の建物の補強構造。
【請求項３】
前記外壁面の外側に設備機器が取り付けられる建物に適用され、
前記構造フレームと同じ高さ位置に、前記付帯構造物に少なくとも一部が埋め込まれるようにして前記設備機器が取り付けられることを特徴とする請求項１又は２に記載の建物の補強構造。
【請求項４】
前記付帯構造物の下部に軒天部が設けられており、
前記設備機器は、建物外壁に設けられた開口部を覆うシャッタカーテンを有するシャッタ装置であり、
前記シャッタ装置のシャッタケースの少なくとも一部が前記軒天部に埋め込まれるようにして取り付けられることを特徴とする請求項３に記載の建物の補強構造。
【請求項５】
前記補強部は、ブレース補強部であり、
前記外壁面に平行に延びる方向と、前記ブレース補強部を構成するブレース材とのなす角度が４５度よりも小さいことを特徴とする請求項１乃至４のいずれか一項に記載の建物の補強構造。
【請求項６】
前記補強部は、ブレース補強部であり、
前記外壁面に平行な方向に複数の前記ブレース補強部が並べて設けられていることを特徴とする請求項１乃至５のいずれか一項に記載の建物の補強構造。
【請求項７】
前記構造フレームは、前記外壁面から張り出して設けられる複数の張出梁と、それら各張出梁にそれぞれ連結して設けられる複数の連結梁とを有し、
前記連結梁は、前記外壁面から離間した位置にそれぞれ設けられており、
それら各連結梁の間に、前記張出梁に平行な方向に延びる複数の中間梁が設けられており、
前記各連結梁の間において前記複数の中間梁により分割された各分割範囲のいずれかは前記補強部が設けられている補強範囲であり、それ以外の前記分割範囲は、前記補強部が設けられていない空き範囲であることを特徴とする請求項１乃至６のいずれか一項に記載の建物の補強構造。
【発明の詳細な説明】
【技術分野】
【０００１】
本発明は、建物の補強構造に関するものである。
【背景技術】
【０００２】
住宅等の建物において、建物本体の外方に張り出して張出部が設けられる構成が知られている。張出部としては、例えば屋根から延びる軒部や、キャンチ式のバルコニーなどが考えられる。また、こうした張出部において、その骨組を構成する構造フレームに、水平方向の抵抗力を高めるべくブレース等の補強部を設けた構成が知られている。例えば特許文献１には、ユニット式建物の建物ユニットに取り付けられて張出部を構成する張出ユニットにおいて、上部水平構面に水平変形抑制構造として水平ブレースが設けられた構成が開示されている。
【先行技術文献】
【特許文献】
【０００３】
【特許文献１】特開２０１０−２６１２５９号公報
【発明の概要】
【発明が解決しようとする課題】
【０００４】
しかしながら、上記のとおり張出部の構造フレームにブレース等を設けた構成では、張出部に一体に設備機器を取り付けようとした場合に、その取り付けが不可又は困難になることが考えられる。つまり、例えば張出部の下部に設備機器としてのシャッタ装置を一体的に埋め込んで取り付けようとしても、シャッタ装置とブレース等とが干渉することが考えられる。そのため、用途の自由度の制約が大きいといった不都合が生じる。
【０００５】
本発明は、上記事情に鑑みてなされたものであり、外壁面から張り出した付帯構造物について用途の自由度の制約を減らすことができる建物の補強構造を提供することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の建物の補強構造は、外壁面に隣接した部位にその外壁面から張り出して設けられる付帯構造物（２５）を備える建物に適用され、前記付帯構造物は、水平方向に延びる構造フレーム（４０）を有し、その構造フレームは、水平方向の抵抗力を高めるべく補強部（５０）を備えており、前記補強部は、前記付帯構造物において前記外壁面から離間した位置に設けられていることを特徴とする。
【０００８】
上記構成によれば、建物において外壁面から延びる付帯構造物の構造フレームが補強部を備えているため、その構造フレームの水平方向の抵抗力（面剛性）が高められる。したがって、軒部やバルコニーが付帯構造物として設けられる場合に、その軒部やバルコニーの構造強度を高めることができる。また、補強部は、付帯構造物において外壁面から離間した位置に設けられているため、付帯構造物において外壁面側の端部には、補強部が設けられていない空きスペースが確保される。したがって、例えば構造フレームと同じ高さ位置に、外壁面に沿ってシャッタ装置等の設備機器を設けたりすることが可能となる。その結果、外壁面から張り出した付帯構造物について用途の自由度の制約を減らすことができる。
【０００９】
第２の発明の建物の補強構造は、前記構造フレームは、前記外壁面から張り出して設けられる複数の張出梁（４１）と、それら各張出梁にそれぞれ連結して設けられる複数の連結梁（４２）とを有し、前記連結梁は、前記外壁面から離間した位置にそれぞれ設けられており、それら各連結梁の間となる位置に前記補強部が設けられていることを特徴とする。
【００１０】
上記構成によれば、張出梁及び連結梁を有してなる構造フレームについて、補強部が設けられることで構造強度を高めることができる。また、補強部は、外壁面から離間した位置に設けられた連結梁に設けられるため、やはり用途の自由度について制約を減らすことができる。
【００１１】
第３の発明の建物の補強構造は、前記外壁面の外側に設備機器（３０）が取り付けられる建物に適用され、前記構造フレームと同じ高さ位置に、前記付帯構造物に少なくとも一部が埋め込まれるようにして前記設備機器が取り付けられることを特徴とする。
【００１２】
上記構成によれば、付帯構造物に少なくとも一部が埋め込まれるようにして設備機器が取り付けられることから、付帯構造物内にデッドスペースが存在しても、そのデッドスペースを上手く利用して設備機器を取り付けることができる。この場合、上記のとおり構造フレームでは、補強部が外壁面から離間した位置に設けられることから、設備機器の取り付けに関して制約がなく、スペースの有効利用を図った上での設備機器の取り付けを実現できる。
【００１３】
第４の発明の建物の補強構造は、前記付帯構造物の下部に軒天部が設けられており、前記設備機器は、建物外壁（１４ａ）に設けられた開口部（１８）を覆うシャッタカーテン（３１）を有するシャッタ装置（３０）であり、前記シャッタ装置のシャッタケース（３２）の少なくとも一部が前記軒天部に埋め込まれるようにして取り付けられることを特徴とする。
【００１４】
上記構成によれば、シャッタ装置を埋め込み式にしたため、建物外壁において開口部を極力上方に拡張することが可能となる。この場合、付帯構造物の構造強度を高めつつ、建物外壁での開口部の大型化を可能にすることを実現できる。
【００１５】
第５の発明の建物の補強構造は、前記補強部は、ブレース補強部（５０）であり、前記外壁面に平行に延びる方向と、前記ブレース補強部を構成するブレース材（５２）とのなす角度が４５度よりも小さいことを特徴とする。
【００１６】
上記構成によれば、外壁面から張り出して設けられる付帯構造物に対して外壁面に平行な方向の応力が作用した場合に、効率的な応力伝達を実現できる。つまり、付帯構造物の張出基端部側の外壁面に対するブレース材の傾きが小さい状態（外壁面に平行な方向とブレース材とのなす角度が４５度未満）となっており、外壁面に対するブレース材の傾きが大きい状態（外壁面に平行な方向とブレース材とのなす角度が４５度以上）である場合に比べて、外壁面に平行な方向の応力が作用した場合において有利な構成となる。これは、張出構造物である付帯構造物を保護する上で好適な構成であると言える。
【００１７】
第６の発明の建物の補強構造は、前記補強部は、ブレース補強部（５０）であり、前記外壁面に平行な方向に複数の前記ブレース補強部が並べて設けられていることを特徴とする。
【００１８】
上記構成によれば、外壁面に平行な方向に並ぶ複数のブレース補強部により補強部が構成されるため、建物に対して水平応力が作用する場合に、各ブレース補強部に作用する軸力（引張応力）を複数に分散させることができる。これにより、構造フレームにおいて効率的な応力伝達を実現し、ひいては水平方向における変位量（変位角）の低減を図ることができる。
【００１９】
第７の発明の建物の補強構造は、前記構造フレームは、前記外壁面から張り出して設けられる複数の張出梁（４１）と、それら各張出梁にそれぞれ連結して設けられる複数の連結梁（４２）とを有し、前記連結梁は、前記外壁面から離間した位置にそれぞれ設けられており、それら各連結梁の間に、前記張出梁に平行な方向に延びる複数の中間梁（４４）が設けられており、前記各連結梁の間において前記複数の中間梁により分割された各分割範囲のいずれかは前記補強部が設けられている補強範囲であり、それ以外の前記分割範囲は、前記補強部が設けられていない空き範囲であることを特徴とする。
【００２０】
上記構成によれば、複数の分割範囲のうち空き範囲を用いることで、付帯構造物において外壁面から離間した位置でも設備機器の設置が可能となり、用途の自由度を高める上でより好適な構成を実現できる。
【図面の簡単な説明】
【００２１】
【図１】建物においてベランダを斜め下方より見た斜視図。
【図２】ベランダにおける屋根部分の構成を示す縦断面図。
【図３】軒フレームの構成を示す平面図。
【図４】軒フレームの構成を示す平面図。
【図５】軒フレームの構成を示す平面図。
【図６】軒フレームの構成を示す平面図。
【図７】軒フレームの構成を示す平面図。
【発明を実施するための形態】
【００２２】
以下、本発明を具体化した一実施形態を図面を参照しつつ説明する。本実施形態では、多層階建物において上階部（例えば二階建て建物の二階部）に柱付きのベランダが設けられている構成を採用しており、建物の屋根部がベランダ上方を覆うようにして設けられている。建物は、例えば鉄骨フレームよりなる複数の建物ユニットにより構築されるユニット式建物である。
【００２３】
図１は建物においてベランダを斜め下方より見た斜視図、図２はベランダにおける屋根部分の構成を示す縦断面図である。
【００２４】
図１に示すように、建物１０は、下階部としての一階部分１１と上階部としての二階部分１２とを有しており、二階部分１２の上方に屋根部１３が設けられている。二階部分１２には、外壁１４の一部を一階部分１１の出隅よりも凹ませるようにしてベランダ１５が設けられている。つまり、二階部分１２の外壁１４に入隅が設けられ、そこにベランダ１５が設けられている。ベランダ１５は、側面の二方が外壁１４に囲まれ、かつ二方が開放されており、開放側の部分には腰壁部１６が設けられている。また、ベランダ１５には、その上方に張り出した屋根部１３を支持するためのベランダ柱１７が設けられており、腰壁部１６の出隅部分はベランダ柱１７に対して固定されている。
【００２５】
なお、建物１０のユニット構造において一階部分１１の建物ユニットに対して二階部分１２の建物ユニットを後退（セットバック）させて配置することで、一階部分１１の建物ユニットの上方にベランダ形成の空間が確保されるようになっている。
【００２６】
外壁１４において二階屋内空間とベランダ空間とを仕切る部分（ベランダ外壁１４ａ）には開口部としての窓部１８が設けられており、その窓部１８には開閉体としてのサッシ戸１９が設けられている。窓部１８は掃出窓であり、窓部１８を通じてベランダ１５への人の出入りが可能となっている。
【００２７】
屋根部１３は、寄棟屋根や切妻屋根などの傾斜屋根を構成するものである。図２に示すように、屋根部１３は、屋根傾斜方向に延びる屋根フレームとしての垂木２１と、その垂木２１の上に設けられた屋根下地材としての野地板２２と、野地板２２の上に設けられた屋根仕上材としての瓦２３とを有している。屋根部１３において、外壁１４から屋外側へ張り出している部分が軒部２５であり、軒部２５において垂木２１の先端部には鼻先木２６が固定されている。図１に示すように、ベランダ１５とそれ以外とでは、軒部２５において外壁面から軒先までの長さが相違しており、ベランダ１５では、それ以外の部位よりも軒長さが大きくなっている。そして、軒部２５において、ベランダ１５の上方となる部分（軒長さが大きい部分）がベランダ柱１７により支持されている。
【００２８】
本実施形態では、軒部２５（特にベランダ上方の軒部）が、外壁面に隣接した部位にその外壁面から張り出して設けられる付帯構造物に相当する。
【００２９】
軒部２５の下部（つまり軒裏）には、軒天部を構成する複数の軒天材２７が設けられている。軒天材２７は、所定の耐火性能を有する板状の不燃材よりなり、外壁１４と鼻先木２６との間に架け渡されて設けられている。
【００３０】
ベランダ外壁１４ａにおいて窓部１８の上方には、設備機器としてのシャッタ装置３０が設けられている。シャッタ装置３０は、窓部１８（サッシ戸の屋外面）に沿って昇降するシャッタカーテン３１と、シャッタカーテン３１を巻き取り状態で収納する横長のシャッタケース３２とを有している。シャッタカーテン３１は、例えばスラット式シャッタカーテンである。本実施形態では特に、シャッタケース３２は、その一部が軒部２５に埋め込まれるようにしてベランダ外壁１４ａに対して取り付けられており、シャッタケース３２の一部のみが軒天材２７の下方に露出するようになっている。この場合、軒天材２７の上方の軒天裏空間を有効利用してシャッタ装置３０の設置が可能となることに加え、ベランダ外壁１４ａに窓部１８を上方に拡張できることの効果を期待できる。
【００３１】
なお、軒部２５に、全体が埋め込まれるようにしてシャッタケース３２を設けることも可能である。この場合、軒天材２７の下面の高さ位置とシャッタケース３２の下面の高さ位置とが概ね一致する。
【００３２】
軒部２５には構造フレームとしての軒フレーム４０が設けられており、次にその軒フレーム４０の構成について説明する。図３は、軒フレーム４０の構成を示す平面図である。図３において、ＨＬは建物本体の外縁を示し、ＲＬは屋根部１３の外縁を示している。
【００３３】
軒フレーム４０は、水平方向に延びるようにして、軒天材２７の上方となる位置に設けられている（図２参照）。軒フレーム４０は、一端が建物本体の躯体（建物ユニットの柱又は天井大梁）に対して固定され、外壁面（窓部１８が設けられたベランダ外壁１４ａの外面）からそれに直交する方向に延びる２本の張出梁４１と、それら張出梁４１に直交する向き、すなわち外壁面に水平な方向に延び、張出梁４１の先端部分及び中間部分にそれぞれ連結される一対の連結梁４２とを有している。各連結梁４２は、外壁面から離間した位置にそれぞれ設けられている。張出梁４１及び連結梁４２はそれぞれ断面コ字状の溝形鋼よりなる。張出梁４１はそれぞれ溝開口がフレーム中心側となる向きで設けられ、連結梁４２は溝開口が互いに向き合うようにして設けられている。なお、説明の便宜上、張出梁４１の先端部分に連結される連結梁４２を「先端連結梁４２ａ」、中間部分に連結される連結梁４２を「中間連結梁４２ｂ」とも称する。
【００３４】
建物本体の躯体に対する張出梁４１の固定について具体的には、例えば建物ユニットの柱に溶接等により固定金具が取り付けられ、その固定金具に張出梁４１がボルト等により固定されている。先端連結梁４２ａは、ベランダ１５の出隅側の一端がベランダ柱１７により支持され、それとは逆の他端が建物本体に連結されている。
【００３５】
一対の連結梁４２の間には、張出梁４１に平行となる向きで複数の小梁４３が設けられている。小梁４３は、張出梁４１や連結梁４２よりも小さい断面寸法を有する鉄鋼材よりなり、例えば溝形鋼又は角形鋼である。小梁４３は、軒天材２７を吊り下げ支持するための支持部材を固定する部材である。また、一対の連結梁４２の間においてその連結梁４２の長手方向中央部には中間小梁４４が設けられている。
【００３６】
図２に示すように、小梁４３にはその下方に延びる吊り下げ支持材４５が固定され、その吊り下げ支持材４５の下端に、軒天材２７の下地材４６が固定されている。下地材４６は、軒先と同じ方向に延びる長尺材よりなり、軒フレーム４０の下方となる部分では吊り下げ支持材４５により軒天材２７が吊り下げ支持されている。また、軒フレーム４０の下方以外の部分では、下地材４６が、垂木２１から下方に延びる、吊り下げ支持材４５とは別の吊り下げ支持材４７に固定され、その吊り下げ支持材４７により軒天材２７が吊り下げ支持されている。
【００３７】
また、軒部２５においては、当該軒部２５における水平方向の抵抗力を高めるべく補強構造を採用することが望ましい。ただし、上述したとおり一部が埋め込まれるようにして軒部２５にシャッタ装置３０（シャッタケース３２）が取り付けられる構成では、シャッタ装置３０と補強構造とが干渉することが懸念される。つまり、図２に示すように、軒フレーム４０とシャッタ装置３０とは水平方向に横並びとなるように配置されており、例えば軒フレーム４０の全体に補強構造を設けると、その補強構造がシャッタ装置３０に干渉すると考えられる。
【００３８】
そこで本実施形態では、軒フレーム４０において、シャッタ装置３０に干渉しない位置に、すなわちシャッタ装置３０が取り付けられるベランダ外壁１４ａから所定距離以上離間した位置に、補強構造を設ける構成としている。本実施形態では、補強構造としてブレース構造を採用する。
【００３９】
具体的には、図３に示すように、シャッタ装置３０の前後方向の幅寸法はＷであり、軒フレーム４０の中間連結梁４２ｂは、ベランダ外壁１４ａからシャッタ装置３０の幅寸法Ｗよりも大きい距離Ｌ１を隔てた位置に配置されている。これにより、ベランダ外壁１４ａと中間連結梁４２ｂとの間にシャッタ設置スペースＳが確保されている。そして、シャッタ設置スペースについては補強構造を設けず、それよりも先端側（軒先側）に補強構造としてのブレース補強部５０を設ける構成としている。
【００４０】
図４は、ブレース補強部５０について概要を示す図である。なお、図４では小梁４３を省略している。
【００４１】
図４において、軒フレーム４０には、各連結梁４２の間となる位置に、中間小梁４４を挟んで２組のブレース補強部５０が設けられている。この場合、２組のブレース補強部５０は、外壁面（窓部１８が設けられたベランダ外壁１４ａの外面）に平行な方向、すなわち軒フレーム４０の長手方向に並べて設けられている。
【００４２】
ブレース補強部５０について詳しくは、張出梁４１と連結梁４２との連結部、及び連結梁４２と中間小梁４４との連結部には、それぞれブレース取付金具としてのブラケット５１が固定されており、そのブラケット５１にブレース５２がＸ字状に配設されている。ブレース５２はボルト接合によりブラケット５１に対して固定されている。本構成では、軒フレーム４０においてブレース５２により軒部２５における水平構面伝達力が確保されている。なお、ブレース５２には、張力を調整する調整機構としてのターンバックル（図示略）が取り付けられている。
【００４３】
各ブレース５２は、外壁面に平行に延びる方向に対する角度（ブレース傾斜角θ）が４５度よりも小さくなるように取り付けられている。ただし、軒フレーム４０には、左右の張出梁４１の間の領域を２つに分割してそれら各領域にブレース補強部５０がそれぞれ設けられているため、ブレース補強部５０を１つのみ設けた場合（分割しない場合）に比べて、ブレース傾斜角θは大きくなっている。
【００４４】
建物１０に対して水平応力が作用する場合について図５により説明する。図５では、建物１０に対して、外壁面に平行に延びる方向に水平応力Ｐが作用しており、軒部２５に水平方向に変位が生じる状態を模式的に示している。
【００４５】
ここで、軒フレーム４０では、軒フレーム４０の長手方向において左右の張出梁４１の間に２組のブレース補強部５０が並べて設けられているため、図示の水平応力Ｐが作用する場合に、各ブレース補強部５０に作用する軸力Ｆ（引張応力）が複数に分散される。つまり、軒フレーム４０において左右の張出梁４１の間に単一のブレース補強部５０が設けられる構成と比べて、１本当たりのブレース負担荷重が低減される。これにより、軒フレーム４０において効率的な応力伝達を実現でき、水平方向における変位量δ（変位角）が低減される。
【００４６】
また、外壁面に平行な方向と各ブレース５２とのなす角度（ブレース傾斜角θ）が４５度よりも小さいため、言うなれば、外壁面に対するブレース５２の傾きが小さい状態となっている。したがって、ブレース傾斜角θが４５度以上であり、外壁面に対するブレース５２の傾きが大きい場合に比べて、外壁面に平行な方向の水平応力Ｐが作用した場合において有利な構成となる。
【００４７】
以上詳述した本実施形態によれば、以下の優れた効果が得られる。
【００４８】
建物１０において外壁面から延びる軒部２５の軒フレーム４０がブレース補強部５０を備えているため、その軒フレーム４０の水平方向の抵抗力（面剛性）が高められる。したがって、付帯構造物としての軒部２５の構造強度を高めることができる。また、ブレース補強部５０は、外壁面から離間した位置に設けられているため、軒部２５において外壁面側の端部には、ブレース補強部５０が設けられていない空きスペース（シャッタ設置スペースＳ）が確保される。したがって、外壁面に沿って、軒フレーム４０と同じ高さ位置にシャッタ装置３０を設けること等が可能となる。その結果、外壁面から張り出した軒部２５について用途の自由度の制約を減らすことができる。
【００４９】
軒フレーム４０と同じ高さ位置に、軒部２５に一部が埋め込まれるようにしてシャッタ装置３０を取り付ける構成とした。これにより、軒部２５内にデッドスペースが存在しても、そのデッドスペースを上手く利用してシャッタ装置３０を取り付けることができる。この場合、上記のとおり軒フレーム４０では、ブレース補強部５０が外壁面から離間した位置に設けられることから、シャッタ装置３０の取り付けに関して制約がなく、スペースの有効利用を図った上でのシャッタ装置３０の取り付けを実現できる。
【００５０】
また、ベランダ外壁１４ａにおいて窓部１８を極力上方に拡張することが可能となる。この場合、軒部２５の構造強度を高めつつも、ベランダ外壁１４ａでの窓部１８の大型化を可能にすることを実現できる。
【００５１】
外壁面に平行に延びる方向とブレース５２とのなす角度（ブレース傾斜角θ）を４５度よりも小さくした。これにより、軒部２５に対して外壁面に平行な方向（軒先に沿う方向）の応力が作用した場合に、効率的に応力伝達できる。これは、張出構造物である軒部２５を保護する上で好適な構成であると言える。
【００５２】
外壁面に平行な方向に複数のブレース補強部５０を並べて設けた。これにより、軒フレーム４０において効率的な応力伝達を実現し、ひいては水平方向における変位量（変位角）の低減を図ることができる。こうして効率的な応力伝達を実現することで、比較的径の細い線材を用いてブレース補強部５０を構成したとしても、軒フレーム４０の十分な面剛性を実現できる。
【００５３】
［他の実施形態］
本発明は上記実施形態の記載内容に限定されず、例えば次のように実施されてもよい。
【００５４】
・軒フレーム４０を図６のように構成してもよい。図６では、左右の張出梁４１と一対の連結梁４２とに囲まれた部位に、張出梁４１に平行な方向に延びる複数（図では２本）の中間小梁４４が設けられており、その複数の中間小梁４４により分割された各分割範囲のいずれかが、補強部が設けられている補強範囲、それ以外の分割範囲が、補強部が設けられていない空き範囲となっている。つまり、図６では、左右の張出梁４１と一対の連結梁４２とに囲まれた部位が、２本の中間小梁４４により三分割されており、そのうち左右両側の分割範囲にブレース補強部５０が設けられ、中央の分割範囲が空きスペースＳＡとなっている。
【００５５】
この場合、複数の分割範囲のうち空き範囲（空きスペースＳＡ）を用いることで、軒部２５において外壁面から離間した位置でも設備機器の設置が可能となる。ゆえに、用途の自由度を高める上でより好適な構成を実現できる。具体的には、軒部２５において図６の空きスペースＳＡに、軒フレーム４０により支持された状態で、設備機器として例えば照明装置を設けるとよい。
【００５６】
・上記実施形態では、建物１０の二階部分１２の入隅部にベランダ１５を設けたが、これを変更し、二階部分１２の入隅部を無くした構成において二階部分１２にベランダ１５を設けるようにしてもよい。この場合における軒フレーム４０の構成を図７に示す。図７に示す軒フレーム４０では、２本の張出梁４１と、それに連結される一対の連結梁４２とを有する構成は上述の図３と同じであり、先端連結梁４２ａが、建物本体に連結されていない点で図３と相違している。なお、図７には、３つのブレース補強部５０を有する構成を例示している。
【００５７】
・上記実施形態では、付帯構造物としての軒部２５の下方に柱付きベランダを設ける構成としたが、これを変更し、ベランダ柱を有しないベランダ（柱無しベランダ）を設ける構成としてもよい。
【００５８】
・上記実施形態では、軒フレーム４０（構造フレーム）の補強部としてブレース補強部を設けたが、これに代えて、構造用合板を設ける構成でもよい。
【００５９】
・軒部２５（付帯構造物）に埋め込み状態で設ける設備機器としては、シャッタ装置３０以外に、照明装置や物干し装置などであってもよい。
【００６０】
・上記実施形態では、傾斜屋根を構成する屋根部１３において、その軒部２５（付帯構造物）の補強構造に本発明を適用したが、例えば陸屋根からなる屋根部において外壁面から張り出した張出部分（付帯構造物）の補強構造に本発明を適用してもよい。
【００６１】
また、本発明の補強構造を屋根部１３以外で具体化することも可能である。例えば、建物において付帯構造物としてのキャンチバルコニを設ける構成とし、そのキャンチバルコニの床部（底部）に相当する部分の補強構造に本発明を適用してもよい。また、外壁面から張り出して設けられる庇を付帯構造物とし、その庇の補強構造に本発明を適用してもよい。
【００６２】
・上記実施形態では、軒部２５において軒フレーム４０を建物本体の外縁ＨＬよりも屋外側にはみ出さないように配置したが、建物本体の外縁ＨＬより屋外側にはみ出して配置してもよい。要するに、軒部２５（すなわち、軒長さ（外壁面から軒先まで）の範囲）に対して軒フレーム４０が配置されていればよい。
【００６３】
また、軒部２５において軒の出が小さい場合には、軒部２５の軒天部が、ベランダ１５の上方に設けられた軒天部（ベランダ側軒天部）と、ベランダ１５よりも屋外側に設けられた軒天部（屋外側軒天部）とに分離されている場合がある。この場合、ベランダ側軒天部と屋外側軒天部とがそれら両軒天部の境界に位置する外壁によって不連続とされ、その外壁高さ分だけ屋外側軒天部がベランダ側軒天部よりも上方に位置していることがある。このような構成においては、軒部２５におけるベランダ１５上方部分（すなわちベランダ側軒天部に対応する部分）を付帯構造物として扱い、当該部分に軒フレーム４０を配設すればよい。
【符号の説明】
【００６４】
１０…建物、１４…外壁、１８…窓部（開口部）、２５…軒部（付帯構造物）、３０…シャッタ装置（設備機器）、３１…シャッタカーテン、３２…シャッタケース、４０…軒フレーム（構造フレーム）、４１…張出梁、４２…連結梁、４４…中間小梁（中間梁）、５０…ブレース補強部（補強部）、５２…ブレース（ブレース材）。
【図１】
2014148861.tif 000003
【図２】
2014148861.tif 000004
【図３】
2014148861.tif 000005
【図４】
2014148861.tif 000006
【図５】
2014148861.tif 000007
【図６】
2014148861.tif 000008
【図７】
2014148861.tif 000009